(57)【要約】【課題】印字後に切り取られてしまう余白部分が無駄になる。また、プリンタ装置に於ては、余白部分は複数回の正確な位置合わせの必要な印字には向かないものの、一度だけ印字するには十分な機構的な余裕を持っているが、その能力は使われないままである。【解決手段】用紙に余白を設けずに印刷するために、紙の必要なサイズの外側に切り取り可能な余白を設けておき、印刷後にその余白を取り去ることで所定の用紙に余白無し印刷をするプリンタ装置と用紙に於て、切り取る余白の部分に印刷データのシャッター速度や絞り値などの各種付加情報を印字することで、余白を無駄にすることなく印刷物を得られるようになるものである。【選択図】    図８
2006051727.tif 000002
【特許請求の範囲】
【請求項１】
用紙に余白を設けずに印刷するために、紙の必要なサイズの外側に切り取り可能な余白設けておき、印刷後にその余白を取り去ることで所定の用紙に余白無し印刷をするプリンタ装置に於て、切り取る余白の部分に印刷データの情報を印字しておくことを特徴とするプリンタ装置。
【請求項２】
請求項１に於て、用紙の切り取り可能な余白の裏側にあらかじめ接着剤を塗布しておくことを特徴とするプリンタ用用紙。
【発明の詳細な説明】
【技術分野】
【０００１】
本発明は、縁無し印刷が可能なプリンタ装置及びプリンタ用用紙に関するものである。
【背景技術】
【０００２】
静止画像を印刷する家庭用プリンタ等では、用紙の周辺に余白を残さない、縁無しの印刷が好まれている。しかし、プリンタの印刷方式によっては、用紙が印刷ヘッド所を一度だけではなく何度か往復する様な面順次動作をするものが有り、その場合には余白を設けずに用紙全体に印刷をしようとすることは非常に困難であった。そこで、一般的に面順次印刷を行う方式においては、所定のサイズの外側に切り取り可能な余白部分を予め設けておき、印刷時の用紙の給紙においてそこの付加された余白部分を用いて面順次印刷を行い、印刷終了後に手動或いは機器に内蔵されたカッターなどで自動的に余白の切除を行い、所定のサイズで縁無しの印刷のなされた物を得るようになっている（特許文献１）。
【０００３】
例えば昇華型プリンタの場合、まずイエローのインクフィルムを元に印刷面に印刷を開始する。その時にリードイン側の切り取り可能余白部分をローラーで引きだして印刷を行う。その後１画面分印刷が終わったならば、今度はリードアウト側の切り取り可能余白部分をローラーで引き戻し、また印字位置を合わせた後シアンのインクフィルムを元にリードイン側の切り取り可能余白部分をローラーで引きながら印字を重ねていく。同様に引き戻し引き出しをマゼンタインクフィルムでも行い、都合三度の印字でフルカラーの印字がなされる。
【０００４】
この時に、引き戻しと位置合わせのためにはどうしても切り取り可能余白部分の様な印字面以外に十分な紙の送り余裕が必要になる。
【特許文献１】特開２００１−３１２２０号公報
【発明の開示】
【発明が解決しようとする課題】
【０００５】
しかしながら、このようなプリンタ装置及び用紙の場合、印字後に切り取られてしまう余白部分が無駄になると言う問題が有る。
【０００６】
また、プリンタ装置に於ては、余白部分は複数回の正確な位置合わせの必要な印字には向かないものの、一度だけ印字するには十分な機構的な余裕を持っているが、その能力は使われないままである。
【０００７】
更に、上記問題点とは別に、印刷される画像の情報、例えば写真の場合であればシャッター速度や絞りの値等を印刷された用紙の裏に記録するプリンタなども用意されているが、この場合、印刷ヘッドとインクリボンを用紙の表面と裏面の両方に設けておくか、或いは用紙を一度印刷完了した後に自動的に裏返す機構が必要になり、装置の複雑化は避けられないと言う問題がある。
【０００８】
本発明は、以上の点に着目して成されたもので、面順次で縁無しの印刷するプリンタにおいて、切り取り余白の無駄を軽減するプリンタ装置及びプリンタ用用紙を提供することを目的とする。
【課題を解決するための手段】
【０００９】
本発明では上記問題点に鑑み、用紙に余白を設けずに印刷するために、紙の必要なサイズの外側に切り取り可能な余白を設けておき、印刷後にその余白を取り去ることで所定の用紙に余白無し印刷をするプリンタ装置に於て、切り取る余白の部分に印刷データのシャッター速度や絞り値などの各種付加情報を印字することで、余白を無駄にすることなく印刷物を得られるようになるものである。
【発明の効果】
【００１０】
本発明によれば、用紙に余白を設けずに印刷するために、紙の必要なサイズの外側に切り取り可能な余白を設けておき、印刷後にその余白を取り去ることで所定の用紙に余白無し印刷をするプリンタ装置と用紙に於て、切り取る余白の部分に印刷データのシャッター速度や絞り値などの各種付加情報を印字することで、余白を無駄にすることなく印刷物を得られ、またプリンタの能力を余さず使えるようになるものである。
【発明を実施するための最良の形態】
【００１１】
以下本発明を実施するための最良の形態を、実施例により詳しく説明する。
【実施例】
【００１２】
本発明の実施例を示す。
【００１３】
図１において、１０１はプリンタの印字ヘッド後に配置されプリント用紙の給廃送を受け持つ出口側ローラー、１０２は印字ヘッド前に配置されプリント用紙の給廃送を受け持つ入り口側ローラー、１０３はプリント用紙、１０４はインクフィルム、１０５は印字ヘッド、１０６はインクフィルムの送りタイミングを検出するための光センサである。
【００１４】
図２は上記図１を横から見た状態を示したものである。番号は図１に対応しているが、同図において２０７は図１に図示されていない、印字待ちのプリント用紙を複数枚保持しておくための用紙トレーである。
【００１５】
図３は上記インクフィルム１０４及び２０４を示したものであり、図のように印字されるサイズに相当する分のインクが印字の順番に面順次で塗布された構造になっているものである。この図においては、イエロー、シアン、マゼンタ、黒の順番で塗布されている。なお、黒インクの幅はプリンタ用紙１０３及び２０３の余白部分に近似した幅であり、またフィルム幅手方向にいっぱいに塗布されている。
【００１６】
図４は上記プリント用紙１０３及び２０３を示したものであり、図のように最終的に求められる印字サイズの前後に給廃送に用いる余白部分を前後に付加し、夫々ミシン目を付けておくことで印刷後に切り取りが容易な構造になっている。
【００１７】
図２において動作の概略を示すと、印刷動作に入ったときに入り口側ローラー２０２が回転してプリント用紙２０３を用紙トレー２０７より取り出し印字ヘッド２０５の下へと供給し、印字ヘッド２０５を通過した用紙は出口側ローラー２０１にて排出される。印字ヘッド２０５はヘッドが発熱することでインクフィルム１０６の上に塗られているインクをプリント用紙に転写する物であり、インクフィルム２０４をプリント用紙２０３と同速度で送りながら順次インクを転写していく動作をする。この時に今現在印刷しているインクが何であるかを知るために、光センサ２０６でインクフィルムを送るときに黒く遮光されるタイミングを検出することで、インクの順番を検出し面順次の印字タイミングに同期させるようにするものである。
【００１８】
図５のように、例えばまず一番目の色を印字する動作の時には、紙を入り口側ローラーから供給され印字ヘッドによってイエローの印字が行われる。その後図６のように一番目の印字が終わった段階でローラーを逆回転させ紙をまた元の状態に戻し、再度図５〜図６の動作を行い、今度は二番目の色、この場合ではシアンの印字を行う。更にもう一度、同様の動作を行い、今度はマゼンタの印字を行うことでフルカラーの印刷を得る。そして、最後に図７のように切り取り可能な余白部分に黒インクをも用いて、画像以外の付加情報、この場合は撮影した画像の焦点距離、シャッター速度、絞り値、日付等を印字し排出する。
【００１９】
得られたプリント用紙は図８の様になっており、前後の余白部分のうち、前の余白はミシン目より切り離して廃棄し、後ろの余白部分はミシン目から切り離した後一緒に保存することとなる。
【００２０】
［他の実施例］
本発明の第二の実施例を示す。
【００２１】
第二の実施例において、各動作は第一のものと同様である。第二の実施例においては、使用するプリント用紙は図４の物と同様であるが、切り取り可能な余白の部分の印刷面の裏側にあたる部分に予め水溶性の接着剤、或いは裏紙付きの接着シール等が付加されているものである。
【００２２】
前記第一の実施例と同様に動作し印刷を終了して得られたプリントは、図８のように前の余白部分をミシン目より切り離して廃棄し、その後図９のように後ろ側の余白部分をミシン目より裏側に折り返し、予め付加されている接着剤等で貼り付ける様にするものである。
【００２３】
また、切り取り可能な余白の部分に印字される情報に、使用者が適時くわえたコメントを加えることも可能である。
【００２４】
さらに、切り取り可能な余白の部分に印字される情報は、デジタルカメラ等で使われているＥｘｉｆ情報より自動的に抽出されても良い。
【図面の簡単な説明】
【００２５】
【図１】本発明の実施例の構成である。
【図２】本発明図１を動作説明のために横から図示したものである。
【図３】本発明図１のインクフィルムの様子を図示したものである。
【図４】本発明図１のプリント用紙の様子を図示したものである。
【図５】本発明図１の動作を示した図である。
【図６】本発明図１の動作を示した図である。
【図７】本発明図１の動作を示した図である。
【図８】本発明によって得られたプリント用紙の様子を図示したものである。
【図９】本発明によって得られたプリント用紙の様子を図示したものである。
【符号の説明】
【００２６】
１０１  出口側ローラー
１０２  入り口側ローラー
１０３  プリント用紙
１０４  インクフィルム
１０５  印字ヘッド
１０６  光センサ
２０１  出口側ローラー
２０２  入り口側ローラー
２０３  プリント用紙
２０４  インクフィルム
２０５  印字ヘッド
２０６  光センサ
２０７  用紙トレー
【図１】
2006051727.tif 000003
【図２】
2006051727.tif 000004
【図４】
2006051727.tif 000005
【図５】
2006051727.tif 000006
【図６】
2006051727.tif 000007
【図７】
2006051727.tif 000008
【図８】
2006051727.tif 000009
【図９】
2006051727.tif 000010
【図３】
2006051727.tif 000011